(57)【要約】【課題】記録媒体の盗難を抑制する。【解決手段】管理装置６は、遊技者の顔の複数の特徴部位（例えば目、鼻、口の３ケ所）よりも少ない特徴部位（例えば目、鼻、口のうちの何れかの１ケ所）を撮像していなければ、遊技者が着席していないと判定し、遊技者が着席していないと判定した遊技機１に対応する貸出装置２においてＩＣカード１１の発行を禁止する。又、管理装置６は、遊技者の顔の複数の特徴部位よりも少ない特徴部位を撮像していれば、遊技者個人を識別不能であるが、遊技者が着席していると判定し、ＩＣカード１１の発行を許可する。【選択図】図１
2016013350.tif 000002
【特許請求の範囲】
【請求項１】
遊技機における遊技に使用可能な遊技価値の大きさを特定可能な情報を記録した記録媒体を受け付ける受付手段と、
遊技者が操作する操作手段と、
遊技者が前記操作手段を操作した場合に前記記録媒体を発行する発行手段と、
遊技機にて遊技を行っている遊技者を撮像する撮像手段と、
前記撮像手段が予め定められた範囲である遊技者識別範囲よりも広範囲、又は前記遊技者識別範囲以上に亘って遊技者を撮像している場合に、遊技者個人を識別可能であると判定する遊技者識別判定手段と、
前記遊技者識別判定手段が遊技者個人を識別可能であると判定した遊技者の撮像結果から特定した情報と、当該遊技者の遊技結果の情報とを対応付けて管理する遊技者管理手段と、
前記撮像手段が前記遊技者識別範囲よりも狭い範囲である着席識別範囲よりも広範囲、又は前記着席識別範囲以上に亘って遊技者を撮像している場合に、遊技者が遊技機の前方に着席していると判定する着席判定手段と、
遊技者が前記操作手段を操作した場合に、前記撮像手段が前記着席識別範囲よりも広範囲、又は前記着席識別範囲以上に亘って遊技者を撮像していれば、前記発行手段に対して前記記録媒体の発行を許可する一方、前記撮像手段が前記着席識別範囲よりも広範囲、又は前記遊技者識別範囲以上に亘って遊技者を撮像していなければ、前記発行手段に対して前記記録媒体の発行を抑制する発行設定手段と、を備えたことを特徴とする遊技場用システム。
【請求項２】
前記遊技者識別判定手段は、前記撮像手段が遊技者の顔のうち予め定められた複数の特徴部位を撮像していれば、前記撮像手段が前記遊技者識別範囲よりも広範囲、又は前記遊技者識別範囲以上に亘って遊技者の顔を撮像しているものとして、遊技者個人を識別可能であると判定する一方、前記撮像手段が前記複数の特徴部位を撮像していなければ、遊技者個人を識別不能であると判定することを特徴とする請求項１に記載した遊技場用システム。
【請求項３】
前記着席判定手段は、前記撮像手段が前記複数の特徴部位を撮像していなくとも前記複数の特徴部位よりも少ない特徴部位を撮像していれば、前記撮像手段が前記着席識別範囲よりも広範囲、又は前記着席識別範囲以上に亘って遊技者を撮像しているものとして、遊技者が遊技機の前方に着席していると判定することを特徴とする請求項２に記載した遊技場用システム。
【発明の詳細な説明】
【技術分野】
【０００１】
本発明は、遊技機の遊技に使用可能な遊技価値の大きさを特定可能な情報を記録した記録媒体を発行可能な遊技場用システムに関する。
【背景技術】
【０００２】
遊技場では、遊技者が遊技により獲得した玉を計数し、計数結果を特定可能な情報を遊技者が持運び可能なＩＣカード（記録媒体）に記憶している。遊技者は、計数結果を記録したＩＣカードを、遊技機に併設された貸出装置に挿入することで、計数結果を対価として玉の払出を行い、遊技を行うことが可能である。そして、遊技者は、遊技を終了する際には、発行操作を行うことでＩＣカードを発行させ、計数結果の玉数に応じた景品に交換することが可能である。
【０００３】
しかしながら、発行操作を行うことでＩＣカードを発行可能であるので、例えば遊技者が食事等により一時的に席を離れる際にＩＣカードを発行し忘れると、他の遊技者が発行操作を行うことで、ＩＣカードが盗難されてしまう虞がある。このため、ＩＣカードの盗難を抑制する技術が各種提案されている。例えば特許文献１には、遊技者の画像からＩＣカードを使用している遊技者が変化していないか否かを監視することが記載されている。
【先行技術文献】
【特許文献】
【０００４】
【特許文献１】特開２０１４−２３７７０号公報
【発明の概要】
【発明が解決しようとする課題】
【０００５】
ところが、特許文献１の構成では、ＩＣカードの盗難の発生を特定することはできるが、ＩＣカードの盗難を抑制する効果は十分に得られない可能性がある。
本発明は、上記した事情に鑑みてなされたものであり、その目的は、記録媒体の盗難を抑制することができる遊技場用システムを提供することにある。
【課題を解決するための手段】
【０００６】
請求項１に記載した発明は、遊技機における遊技に使用可能な遊技価値の大きさを特定可能な情報を記録した記録媒体を受け付ける受付手段と、遊技者が操作する操作手段と、遊技者が前記操作手段を操作した場合に前記記録媒体を発行する発行手段と、遊技機にて遊技を行っている遊技者を撮像する撮像手段と、前記撮像手段が予め定められた範囲である遊技者識別範囲よりも広範囲、又は前記遊技者識別範囲以上に亘って遊技者を撮像している場合に、遊技者個人を識別可能であると判定する遊技者識別判定手段と、前記遊技者識別判定手段が遊技者個人を識別可能であると判定した遊技者の撮像結果から特定した情報と、当該遊技者の遊技結果の情報とを対応付けて管理する遊技者管理手段と、前記撮像手段が前記遊技者識別範囲よりも狭い範囲である着席識別範囲よりも広範囲、又は前記着席識別範囲以上に亘って遊技者を撮像している場合に、遊技者が遊技機の前方に着席していると判定する着席判定手段と、遊技者が前記操作手段を操作した場合に、前記撮像手段が前記着席識別範囲よりも広範囲、又は前記着席識別範囲以上に亘って遊技者を撮像していれば、前記発行手段に対して前記記録媒体の発行を許可する一方、前記撮像手段が前記着席識別範囲よりも広範囲、又は前記遊技者識別範囲以上に亘って遊技者を撮像していなければ、前記発行手段に対して前記記録媒体の発行を抑制する発行設定手段と、を備えたことを特徴とする。
【０００７】
請求項２に記載した発明は、前記遊技者識別判定手段は、前記撮像手段が遊技者の顔のうち予め定められた複数の特徴部位を撮像していれば、前記撮像手段が前記遊技者識別範囲よりも広範囲、又は前記遊技者識別範囲以上に亘って遊技者の顔を撮像しているものとして、遊技者個人を識別可能であると判定する一方、前記撮像手段が前記複数の特徴部位を撮像していなければ、遊技者個人を識別不能であると判定することを特徴とする。
【０００８】
請求項３に記載した発明は、前記着席判定手段は、前記撮像手段が前記複数の特徴部位を撮像していなくとも前記複数の特徴部位よりも少ない特徴部位を撮像していれば、前記撮像手段が前記着席識別範囲よりも広範囲、又は前記着席識別範囲以上に亘って遊技者を撮像しているものとして、遊技者が遊技機の前方に着席していると判定することを特徴とする。
【発明の効果】
【０００９】
遊技機の前方に着席して遊技を行っている通常の遊技者は、遊技を終了すると、着席したまま操作手段を操作して記録媒体を発行させることが想定されるが、記録媒体を盗もうと考える人物（盗難行為者）は、記録媒体を発行させた後に素早く現場から離れようとするために遊技機の前方に着席せずに操作手段を操作して記録媒体を発行させることが想定される。請求項１に記載した発明によれば、撮像手段が着席識別範囲よりも広範囲、又は着席識別範囲以上に亘って遊技者を撮像していなければ、発行手段に対して記録媒体の発行を抑制するようにしたので、着席せずに記録媒体を発行させて盗む行為を抑制することができる。これにより、記録媒体の盗難を抑制することができる。
【００１０】
又、遊技者個人を識別可能であると判定した遊技者の撮像結果から特定した情報と、当該遊技者の遊技結果の情報とを対応付けて管理するようにしたので、遊技者の管理をより詳細に行うことができる。又、遊技者個人を識別不能であった場合に記録媒体の発行を抑制する構成が考えられるが、遊技者が横を向いている場合や、マスクやサングラスを着用している場合等でも遊技者個人を識別不能となる場合が想定され、このような場合に記録媒体の発行を抑制してしまうと、遊技者と遊技場との間でトラブルが発生し兼ねない。この点に関し、請求項１に記載した発明によれば、撮像手段が着席識別範囲よりも広範囲、又は遊技者識別範囲以上に亘って遊技者を撮像していれば、発行手段に対して記録媒体の発行を許可するようにしたので、遊技者個人を識別不能であったとしても着席を認識可能な範囲で遊技者を撮像していれば、記録媒体の発行を許可することで、遊技者と遊技場との間でのトラブルの発生を抑制することができる。このように記録媒体の盗難を抑制することと、遊技者と遊技場との間でのトラブルの発生を抑制することを両立することができ、遊技場を適切に運用することができる。
【００１１】
請求項２に記載した発明によれば、遊技者の顔の特徴部位を利用し、予め定められた複数の特徴部位を撮像しているか否かに基づいて、遊技者個人を識別可能であるか否かを特定することができる。
【００１２】
請求項３に記載した発明によれば、複数の特徴部位よりも少ない特徴部位を撮像していか否かに基づいて、遊技者が遊技機の前方に着席しているか否かを特定することができる。即ち、遊技者個人を識別可能であるか否かを判定するための複数の特徴部位よりも少ない特徴部位を利用することで、遊技者個人を識別不能であっても遊技者が着席しているか否かを特定することができる。
【図面の簡単な説明】
【００１３】
【図１】本発明の一実施形態を示す全体構成図
【図２】管理装置の構成を示す機能ブロック図
【図３】フローチャート
【図４】撮像結果を示す図
【図５】発行エラー画面を示す図
【発明を実施するための形態】
【００１４】
以下、本発明の一実施形態について図面を参照して説明する。図１は、遊技場用システムの全体構成を概略的に示している。遊技場内には多数の遊技機１が設置されており、各遊技機１に対応して貸出装置２及び情報表示装置３が設置されている。これら遊技機１、貸出装置２及び情報表示装置３は、中継装置４と接続されている。中継装置４は、ＬＡＮ５を介して管理装置６と接続されている。遊技場にはＰＯＳ７や残高精算機８も設置されている。ＰＯＳ７及び残高精算機８も、ＬＡＮ５を介して管理装置６と接続されている。
【００１５】
管理装置６は、遊技場内の例えば事務室等に設置されており、遊技場の管理者が操作するキーボード９、モニタ１０、プリンタ（図示せず）等が接続されている。管理装置６は、遊技機側（遊技機１、貸出装置２等）から送信される遊技信号を受信することにより、遊技機１、貸出装置２等の稼動状況を管理すると共に、遊技者毎の遊技情報を記憶管理する。尚、図１では図示を省略したが、実際には例えば数百台の遊技機１が管理装置６の管理対象となっている。
【００１６】
ＰＯＳ７は、遊技場内の景品交換カウンタに設けられており、遊技場の従業員により操作される。ＰＯＳ７は、カードリーダ（図示せず）を付属しており、遊技者が所有するＩＣカード１１（記録媒体に相当）を当該カードリーダにより受け付けると、その受け付けたＩＣカード１１に記録されている持玉に基づいて景品交換を行う。残高精算機８は、カードリーダ（図示せず）を付属しており、ＩＣカード１１を当該カードリーダにより受け付けると、その受け付けたＩＣカード１１に記録されている残高の返却を行う。ＩＣカード１１に記録されている持玉及び残高が、遊技機１の遊技に使用可能な遊技価値の大きさを特定可能な情報である。
【００１７】
遊技機１は、ＣＲパチンコ機であり、盤面１１に玉を発射する発射装置を構成する操作ハンドル１２、上部受皿１３、下部受皿１４を有すると共に、盤面１１に、液晶表示部１５、普図入賞口１６、第１始動口１７、第２始動口１８、大入賞口１９等を有する。又、遊技機１は、上部受皿１３の上面に、貸出釦２０、発行釦２１（操作手段に相当）を有する。
【００１８】
遊技機１は、以下に示すように動作する。
（１）第１始動口１７は入賞率が変動しない入賞口（所謂ヘソ入賞口）であり、第２始動口１８は入賞率が変動する入賞口（所謂電チュー）である。各始動口１７、１８への入賞（始動入賞）に応じて大当り抽選を行い、抽選結果を液晶表示部１５にて行う図柄変動にて報知し、その変動結果に応じて大当りとなる。
【００１９】
（２）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
【００２０】
（３）大当り抽選の当選確率（大当り確率）は１／３６０であり、大当りがその後確変状態（確変）となる大当り（確変大当り）となる割合である確変率は（通常状態、確変状態共に）６６．６％である。大当りが発生すると１５ラウンド（Ｒ）分だけ大入賞口１９を開放する。１Ｒの上限入賞数は１０玉、上限開放時間は３０秒であり、上限入賞数又は上限開放時間の何れかが満たされた場合に１Ｒを終了する。
【００２１】
（４）確変中は大当り確率が１／３１に向上すると共に、第２始動口１８への入賞率が高くなる時短状態（時短）になる。尚、確変は次回大当りまで継続するので、大当り後に大当りでも確変でもない状態である通常遊技状態（通常状態）となる大当り（通常大当り）が発生するまで継続し、その後は所定数（例えば１００回）の図柄変動を行うまで時短状態となる。
【００２２】
（５）第２始動口１８は普図入賞口１６への入賞に応じて変動する普通図柄（普図）が当りとなった場合に入賞率の高い開放状態となる。この場合、普図１回の変動時間は通常状態では３０秒であり時短状態では３秒となる。又、開放時間は通常状態では０．３秒であり時短状態では５秒となる。即ち、時短状態では通常状態と比較して普図変動時間が短くなる一方、開放時間は長くなることで第２始動口１８の入賞率が高くなる。
【００２３】
遊技機１及び当該遊技機１に付設されている周辺機器は、遊技者による玉の打込みや各始動口１７、１８への始動入賞等の遊技の進行に伴って、以下に示す遊技信号を送信する。
アウト信号＝消費玉を回収するアウトＢＯＸから送信される消費価値（アウト）を特定可能な信号である。消費（使用、打込、回収）玉１０玉に対して１パルスが送信されるので、「アウト信号数×１０」をアウトとして特定する。尚、遊技機１から送信される信号でも良い。
セーフ信号＝遊技機１から送信される入賞付与価値（セーフ）を特定可能な信号である。払出（付与）玉１０玉に対して１パルスが送信されるので、「セーフ信号数×１０」をセーフとして特定する。尚、補給装置から送信される補給信号をセーフ信号としても良い。
【００２４】
始動信号＝遊技機１から送信される始動入賞により変動（作動）する液晶表示部１５（役物）におけるスタート処理（図柄変動、役物作動、単位遊技）を特定可能な信号である。図柄変動確定時に送信されるので、始動信号の受信に応じてスタート処理を特定し、「始動信号×１」をスタート（スタート処理数）として特定する。尚、始動入賞を示す信号としても良い。
大当り信号＝遊技機１から送信される大当り期間を特定可能な信号である。大当り中にレベル送信される状態信号であるので、大当り信号の受信中を大当り中として特定する。
特別状態信号＝遊技機１から送信される特別状態（甘中）を特定可能な信号である。第２始動口１８の入賞率が向上する特別状態中（時短中）にレベル送信される状態信号であるので、特別状態信号の受信中を特別状態中として特定する。尚、大当り確率が向上する確変中にレベル送信される状態信号（確変信号）であっても良い。又、大当り信号と特別状態信号の何れも受信していない期間を通常状態として特定する。
【００２５】
貸出装置２は、所謂各台計数機能付の貸出装置であり、遊技機１の遊技状態を示す状態表示部２２、貨幣が投入される貨幣投入口２３、遊技者からの操作入力を受け付けると共に遊技の進行に伴ってスタート回数や大当り確率等の遊技情報を表示するタッチパネル式の液晶表示部２４、持玉及び貯玉を払出すための払出釦２５、払出された玉が通過する払出ノズル２６、ＩＣカード１１が挿入される（ＩＣカード１１を受け付ける）カード挿入口２７、遊技機１の下部受皿１４の下方に位置する着脱可能な計数受皿２８、遊技者を撮像可能なカメラ２９（撮像手段に相当）等を有する。カメラ２９は、例えば周知のＣＭＯＳセンサやＣＣＤセンサ等の撮像素子を含んで構成され、貸出装置２に対応する遊技機１の前方（正面）を撮像視野として所定周期毎に（例えば４秒毎に）撮像する。即ち、カメラ２９は、遊技機１の前方に遊技者が着席していれば、その遊技者の顔を含む領域を所定周期毎に撮像する。尚、カメラ２９は、遊技者の顔を撮像していることを当該遊技者に意識させないように、その存在を遊技者が認識不能に搭載されていても良い。
【００２６】
貸出装置２は、ＣＰＵ、ＲＯＭ、ＲＡＭ、Ｉ／Ｏを有するマイクロコンピュータにより構成される制御部２ａ（受付手段、発行手段に相当）（図２参照）、中継装置４との間で各種信号や各種情報を送受信する送受信部を有する。
【００２７】
制御部２ａは、記憶しているコンピュータプログラムにしたがって作動し、以下に示す動作を行う。
（１）貨幣が貨幣投入口２３に投入されたことで、貨幣を受け付けると、遊技機１と貸出装置２との双方において入金額を残高に加算して表示する。残高がある状態で遊技機１の貸出釦２０が押下されると、１回の貸出単位分（例えば５００円）の貸出玉（例えば貸単価４円であれば１２５玉、貸単価１円であれば５００玉）を遊技機１内部の払出機構から払出し、その対価分を残高から減算すると共に、売上信号を送信する。尚、玉の払出を貸出装置２により行っても良い。
【００２８】
（２）遊技機１の下部受皿１４が操作された（開放された）ことで、下部受皿１４から落下した玉を計数受皿２８で受けると、その受けた玉を持玉（計数玉）として計数して液晶表示部２４に表示する。持玉がある状態で貸出装置２の払出釦２５が押下されると、持玉の一部を遊技機１内部の払出機構から払出し、その払出分を持玉数から減算する。尚、この場合も、玉の払出を貸出装置２により行っても良い。
（３）ＩＣカード１１がカード挿入口２７に挿入されると（ＩＣカード１１を受け付けると）、自装置を特定可能な情報（貸出装置ＩＤ）、受け付けたＩＣカード１１を特定可能な情報（カードＩＤ）等を含む受付情報を管理装置６に送信する。
【００２９】
（４）残高又は持玉がある状態で遊技機１の発行釦２１が押下されると、ＩＣカード１１の発行が許可されている発行許可状態では、残玉及び持玉を特定可能なＩＣカード１１を発行する（ＩＣカード１１の発行を許可する）。一方、ＩＣカード１１の発行が禁止されている発行禁止状態では、ＩＣカード１１を発行しない（ＩＣカード１１の発行を抑制する）。ＩＣカード１１がカード挿入口２７に挿入されている状態で発行釦２１が操作されたときには、発行許可状態では、そのカード挿入口２７に挿入されているＩＣカード１１に残高及び持玉の情報を記録して発行し、ＩＣカード１１がカード挿入口２７に挿入されていない状態で発行釦２１が操作されたときには、発行許可状態では、カードストック部（図示せず）にストックしているＩＣカード１１をカード挿入口２７に繰出して残高及び持玉を記録して発行する。ＩＣカード１１を発行すると、自装置を特定可能な情報（貸出装置ＩＤ）、発行したＩＣカード１１を特定可能な情報（カードＩＤ）、ＩＣカード１１に記録した残高及び持玉の情報等を含む発行情報を管理装置６に送信する。尚、残高や持玉の一部を発行対象とする分割発行を可能としても良い。
（５）カメラ２９が撮像する毎に、自装置を特定可能な情報（貸出装置ＩＤ）、その撮像した画像を含む撮像信号を管理装置６に送信する。
【００３０】
情報表示装置３は、各種の遊技情報（スタート回数、大当りの発生回数等）を表示する情報表示部３０、遊技場の従業員を呼出すときに遊技者が押下する呼出ボタンや情報表示部３０が表示する遊技情報を切替えるときに遊技者が押下する切替ボタン等を含む操作部３１、遊技場の従業員が所持する操作リモコン３３からリモコン信号を受信する受光部３２等を有する。
【００３１】
図２は、管理装置６の構成を示す機能ブロック図である。管理装置６は、ＣＰＵ、ＲＯＭ、ＲＡＭ、Ｉ／Ｏを有するマイクロコンピュータにより構成される制御部、遊技機１、貸出装置２及び情報表示装置３との間で各種信号や各種情報を送受信する送受信部、貸出装置２（のカメラ２９）から受信した撮像信号から画像を抽出して分析する画像処理部を有する。又、制御部は、本発明に関連し、遊技者識別判定部６ａ（遊技者識別判定手段に相当）、遊技者管理部６ｂ（遊技者管理手段に相当）、着席判定部６ｃ（着席判定手段に相当）、発行設定部６ｄ（発行設定手段に相当）を有する。
【００３２】
制御部は、記憶しているコンピュータプログラムにしたがって作動し、以下に示す動作を行う。
（１）遊技機１側から遊技信号（アウト信号、セーフ信号、始動信号、大当り信号等）や貸出装置２から売上信号を受信すると、遊技機１の遊技情報（アウト、セーフ、スタート回数、大当りの発生回数等）を集計したり売上情報を算出したりし、それらの遊技情報や売上情報を記憶して管理する。
【００３３】
（２）遊技機１からのアウト信号の受信状態に基づいてアウトが発生している状態を稼動状態と判定し、アウトが発生していない状態を非稼動状態と判定する。即ち、アウトの発生を最後に検知した時点から所定時間の経過を検知する前に次のアウトの発生を検知した場合に稼動状態と判定し、アウトの発生を最後に検知した時点から次のアウトの発生を検知する前に所定時間の経過を検知した場合に非稼動状態と判定する。
【００３４】
（３）貸出装置２から撮像信号を受信すると、その受信した撮像信号から画像を抽出して画像処理部により分析し、複数の特徴部位（例えば目、鼻、口の３ケ所）を撮像しているか否かを判定する。複数の特徴部位を撮像していれば、遊技者の顔を撮像できていると判定し、遊技者個人を識別可能であることを遊技者識別判定部６ａにより判定する。この場合、複数の特徴部位を含む範囲が遊技者識別範囲であり、複数の特徴部位を撮像できていれば遊技者識別範囲以上に亘って遊技者を撮像していることになる。
【００３５】
（４）遊技者個人を識別可能であると判定すると、遊技者の顔画像を特定し、その特定した顔画像に対して複数の特徴部位の形状等を数値化し、その数値化したデータ（数値化データ、撮像結果から特定した情報）と、当日の顔画像データベースに既に登録されている顔画像（照合用の顔画像）の数値化データとを照合し、同一人物であるか否かを判定する。数値化データの一致率が所定値未満であると判定すると、その顔画像が未だ顔画像データベースに登録されていない顔画像であり、その顔画像に対応する遊技者を新規の遊技者であると判定して顔画像ＩＤを付与し、その顔画像ＩＤと、遊技機１側から受信する遊技信号により特定される遊技情報や貸出装置２から受信する売上信号により特定される売上情報とを対応付けて遊技者管理部６ｂにより管理する。一方、数値化データの一致率が所定値以上であると判定すると、その顔画像が既に顔画像データベースに登録されている顔画像であり、その顔画像に対応する遊技者を既存の遊技者であると判定して当該顔画像ＩＤに対応付けている遊技情報や売上情報を更新する。
【００３６】
（５）複数の特徴部位を撮像していなければ、遊技者の顔を撮像できていないと判定し、遊技者個人を識別不能であることを遊技者識別判定部６ａにより判定する。遊技者個人を識別不能であると判定すると、顔画像ＩＤを付与しない。これは、遊技者個人を識別不能であると判定した状態で顔画像ＩＤを付与してしまうと、顔画像ＩＤを付与したことで顔画像を特定していない遊技者を全て同一人物であると誤判定してしまうことを抑制すると共に、同一人物であるにも拘らず顔画像を特定した場合と特定しなかった場合とで別の人物として誤判定してしまうことを抑制するためである。
【００３７】
（６）複数の特徴部位よりも少ない特徴部位（例えば目、鼻、口のうちの何れかの１ケ所）を撮像していれば、遊技者が遊技機１の前方（正面）に着席していることを着席判定部６ｃにより判定する一方、撮像していなければ、遊技者が遊技機１の前方に着席していないことを着席判定部６ｃにより判定する。この場合、複数の特徴部位よりも少ない特徴部位を含む範囲、つまり、遊技者識別範囲よりも狭い範囲が着席識別範囲であり、特徴部位を１か所でも撮像できていれば着席識別範囲以上に亘って遊技者を撮像していることになる。即ち、遊技者個人を識別可能であれば遊技者が遊技機１の前方に着席していると判定可能であるが、遊技者個人を識別不能であっても遊技者が遊技機１の前方に着席している場合があり（後述するように遊技者がマスクやサングラスを着用している場合等）、その場合を救済するためである。
【００３８】
（７）管理装置６から受付情報を受信することで、ＩＣカード１１が挿入されている貸出装置２を特定する。ＩＣカード１１が挿入されていると特定した貸出装置２から受信する撮像信号に基づいて当該貸出装置２に対応する遊技機１の前方に遊技者が着席しているか否かを判定する。遊技者が遊技機１の前方に着席していると判定した貸出装置２に対しては発行許可信号を送信することで、その貸出装置２を発行許可状態に発行設定部６ｄにより設定する一方、遊技者が遊技機１の前方に着席していないと判定した貸出装置２に対しては発行禁止信号を送信することで、その貸出装置２を発行禁止状態に発行設定部６ｄにより設定する。
【００３９】
尚、本実施形態では、管理装置６が画像処理を行う構成を例示しているが、管理装置６の処理負荷を軽減させる（処理を分散させる）ために、画像処理を専用で行う画像処理装置を管理装置６とは別に設け、画像処理装置において、貸出装置２から受信した撮像信号から画像を抽出して分析し、その画像を分析した結果を管理装置６に送信する構成でも良い。
【００４０】
さて、［背景技術］で記載したように、遊技場では、ＩＣカード１１の盗難を抑制することが望まれている。この点に鑑み、管理装置６は、本発明に関連して受付情報監視処理を所定周期で定期的に実行する。
管理装置６は、受付情報監視処理の開始タイミングになると、受付情報監視処理を開始し、何れかの貸出装置２から受付情報を受信したか否かを判定する（Ｓ１）。管理装置６は、何れかの貸出装置２から受付情報を受信したと判定すると（Ｓ１：ＹＥＳ）、その受付情報に含まれているか貸出装置ＩＤに基づいて当該受付情報の送信元の貸出装置２を特定し（Ｓ２）、その受付情報の送信元として特定した貸出装置２から受信している撮像信号に基づいて遊技者個人を識別可能であるか否かを判定する（Ｓ３）。尚、ここでは、ＩＣカード１１がカード挿入口２７に挿入され、何れかの貸出装置２から受付情報を受信したときに、受付情報の送信元として特定した貸出装置２から受信している撮像信号に基づいて遊技者個人を識別可能であるか否かを判定することを例示しているが、遊技者がＩＣカード１１を所持していない状態で遊技を開始し、現金の投入や玉の計数によりＩＣカード１１を発行可能になったことを示す情報を受付情報として貸出装置２から受信した場合にも、その情報の送信元として特定した貸出装置２から受信している撮像信号に基づいて遊技者個人を識別可能であるか否かを判定しても良い。
【００４１】
管理装置６は、受付情報の送信元として特定した貸出装置２から受信している撮像信号に基づいて遊技者の顔の複数の特徴部位を撮像していれば（遊技者識別範囲以上に亘って遊技者を撮像していれば）、遊技者個人を識別可能であると判定し（Ｓ３：ＹＥＳ）、遊技者の顔画像を特定し（Ｓ４）、その特定した顔画像に対して複数の特徴部位の形状等を数値化し、その数値化したデータ（数値化データ）と、当日の顔画像データベースに既に登録されている顔画像（照合用の顔画像）の数値化データとを照合し、同一人物であるか否かを判定する（Ｓ５）。管理装置６は、数値化データの一致率が所定値未満であると判定し、その顔画像が未だ顔画像データベースに登録されていない顔画像であると判定すると（Ｓ５：ＮＯ）、その顔画像に対応する遊技者を新規の遊技者であると判定して顔画像ＩＤを付与し（Ｓ６）、その顔画像ＩＤと遊技情報や売上情報とを対応付けて遊技者管理部６ｂにより管理する（Ｓ７）。そして、管理装置６は、受付情報の送信元として特定した貸出装置２に対して発行許可信号を送信し、その貸出装置２を発行許可状態に設定する（Ｓ８）。一方、管理装置６は、数値化データの一致率が所定値以上であると判定し、その顔画像が既に顔画像データベースに登録されている顔画像であると判定すると（Ｓ５：ＹＥＳ）、その顔画像に対応する遊技者を既存の遊技者であると判定して当該顔画像ＩＤに対応付けている遊技情報や売上情報を更新する（Ｓ９）。そして、管理装置６は、この場合も、受付情報の送信元として特定した貸出装置２に対して発行許可信号を送信し、その貸出装置２を発行許可状態に設定する（Ｓ８）。
【００４２】
これにより、遊技者が遊技を終了して発行釦２１を押下すると、ＩＣカード１１が発行される。即ち、管理装置６は、撮像結果の画像として図４（ａ）に示すように目、鼻、口の３ケ所の全てを撮像した画像を取得している場合には、遊技者個人を識別可能であり、且つ遊技者の着席を識別可能であるので、該当する貸出装置２を発行許可状態に設定し、ＩＣカード１１の発行を許可する。
【００４３】
一方、管理装置６は、受付情報の送信元として特定した貸出装置２から受信している撮像信号に基づいて遊技者の顔の複数の特徴部位を撮像していなければ、遊技者個人を識別不能であると判定し（Ｓ３：ＮＯ）、受付情報の送信元の貸出装置２に対応する遊技機１の前方に遊技者が着席しているか否かを判定する（Ｓ１０）。管理装置６は、受付情報の送信元として特定した貸出装置２から受信している撮像信号に基づいて遊技者の顔の複数の特徴部位よりも少ない特徴部位を撮像していれば（遊技者識別範囲よりも狭い範囲である着席識別範囲以上に亘って遊技者を撮像していれば）、遊技者が遊技機１の前方に着席していると判定し（Ｓ１０：ＹＥＳ）、この場合も、受付情報の送信元として特定した貸出装置２に対して発行許可信号を送信し、その貸出装置２を発行許可状態に設定する（Ｓ８）。
【００４４】
これにより、この場合も、遊技者が遊技を終了して発行釦２１を押下すると、ＩＣカード１１が発行される。即ち、管理装置６は、撮像結果の画像として図４（ｂ）に示すように遊技者がマスク及びサングラスを着用しているために鼻のみを撮像した画像を取得している場合には、遊技者個人を識別不能であるが、遊技者の着席を識別可能であるので、この場合も、該当する貸出装置２を発行許可状態に設定し、ＩＣカード１１の発行を許可する。
【００４５】
一方、管理装置６は、遊技者の顔の複数の特徴部位よりも少ない特徴部位を撮像していなければ（遊技者識別範囲よりも狭い範囲である着席識別範囲よりも広範囲に亘って遊技者を撮像していなければ）、遊技者が遊技機１の前方に着席していないと判定する（Ｓ１０：ＮＯ）。そして、管理装置６は、遊技者が遊技機１の前方に着席していないと判定した貸出装置２に対して発行禁止信号を送信し、その貸出装置２を発行禁止状態に設定する（Ｓ１１）。
【００４６】
これにより、何れかの人物が発行釦２１を押下しても、ＩＣカード１１が発行されない（発行が禁止される）。即ち、管理装置６は、撮像結果の画像として図４（ｃ）に示すように目、鼻、口の３ケ所の何れも撮像していない画像を取得している場合には、遊技者個人を識別不能であるだけでなく、遊技者の着席さえも識別不能であるので、該当する貸出装置２を発行禁止状態に設定し、ＩＣカード１１の発行を禁止する。このように遊技者が着席していないにも拘らず発行釦２１が押下されたときは、遊技機１で遊技していない人物、つまり、ＩＣカード１１を盗もうと考える人物（盗難行為者）が発行釦２１を押下した可能性が高いので、ＩＣカード１１の発行を禁止することで、ＩＣカード１１の盗難を抑制することができる。
【００４７】
尚、この場合、貸出装置２は、このようにして発行禁止状態を設定すると、その後、発行禁止状態を設定している状態で発行釦２１が押下されると、図５に示すように、発行エラー画面を液晶表示部２４に表示し、ＩＣカード１１の発行を禁止していること及び遊技場の従業員の呼出しを促すことを報知する。このとき、貸出装置２は、発行禁止状態を設定している状態で発行釦２１が押下されたことを盗難未遂情報として管理装置６に送信し、管理装置６は、貸出装置２から盗難未遂情報を受信すると、その旨を例えばインカム等により遊技場の従業員に報知しても良い。又、カメラ２９が故障していることも想定されるので、貸出装置２は、遊技場の従業員が操作リモコン３３を操作したことで、操作リモコン３３から送信された発行禁止解除信号が受光部３２に受信されることで、発行禁止状態を解除（発行許可状態に復帰）しても良い。
【００４８】
ところで、ＩＣカード１１の発行を一時的に禁止する方法としては、暗証番号を操作入力する方法やフェリカ機能を有する（フェリカチップを実装した）携帯端末を利用する方法がある。暗証番号を操作入力する方法では、遊技者は、暗証番号の操作入力画面を貸出装置２の液晶表示部２４に表示させた上で、任意の暗証番号を操作入力画面にて操作入力することで、ＩＣカード１１の発行禁止を設定可能となる。フェリカ機能を有する携帯端末を利用する方法では、携帯端末を貸出装置２の非接触通信部に翳して非接触通信を成立させることで、ＩＣカード１１の発行禁止を設定可能となる。しかしながら、暗証番号を操作入力する方法では、発行禁止を設定する際に暗証番号を操作入力する手間があり、発行禁止を解除する際にも暗証番号を操作入力する手間がある。又、フェリカ機能を有する携帯端末を利用する方法では、発行禁止を設定する際に携帯端末を貸出装置２の非接触通信部に翳す手間があり、発行禁止を解除する際にも携帯端末を貸出装置２の非接触通信部に翳す手間がある。これらの暗証番号を操作入力する方法やフェリカ機能を有する携帯端末を利用する方法は、遊技者の手間を必要とするので、遊技者が意図的にＩＣカード１１の発行禁止を設定することを想定している。これに対し、本願の顔認証を利用してＩＣカード１１の発行禁止を設定する方法は、遊技者の手間を必要とせず、ＩＣカード１１の発行し忘れを想定している。このように本願の顔認証を利用してＩＣカード１１の発行禁止をする方法は、ＩＣカード１１の発行し忘れに対して適切に対処可能である。
【００４９】
以上に説明したように本実施形態によれば、次に示す効果を得ることができる。
遊技者の顔の複数の特徴部位よりも少ない特徴部位を撮像していなければ、遊技者が遊技機１の前方に着席していないと判定し、遊技者が着席していないと判定した遊技機１に対応する貸出装置２においてＩＣカード１１の発行を禁止するようにしたので、着席せずにＩＣカード１１を発行させて盗む行為を抑制することができ、ＩＣカード１１の盗難を抑制することができる。
【００５０】
又、遊技者の顔の複数の特徴部位を撮像していれば、遊技者個人を識別可能であると判定し、顔画像ＩＤに対応付けて遊技情報や売上情報を管理するようにしたので、遊技者の管理をより詳細に行うことができる。
【００５１】
又、遊技者が横を向いている場合や、マスクやサングラスを着用している場合等でも遊技者個人を識別不能となる場合が想定され、このような場合にＩＣカード１１の発行を禁止してしまうと、遊技者と遊技場との間でトラブルが発生し兼ねないが、遊技者の顔の複数の特徴部位よりも少ない特徴部位を撮像していれば、遊技者が遊技機１の前方に着席していると判定し、ＩＣカード１１の発行を許可することで、遊技者と遊技場との間でのトラブルの発生を抑制することができる。このようにＩＣカード１１の盗難を抑制することと、遊技者と遊技場との間でのトラブルの発生を抑制することを両立することができ、遊技場を適切に運用することができる。
【００５２】
本発明は、上記した実施形態にのみ限定されるものではなく、以下のように変形又は拡張することができる。又、それぞれの変形例を組み合わせても良い。
本実施形態では、遊技者個人を識別可能であるかの判定と遊技者が着席しているか否かの判定を行うために貸出装置２にカメラ２９を設けた構成を例示したが、カメラの位置や個数をどのような態様としても良い。遊技機１や情報表示装置３にカメラを設けても良いし、遊技場の天井等に設けても良い。又、遊技島に１台のカメラを設け、遊技島に属する複数の遊技機で１台のカメラを共有しても良い。又、遊技者個人を識別可能であるか否かの判定をカメラで行い、遊技者が着席しているか否かの判定をカメラとは別の機器で行っても良い。即ち、例えば遊技機１の周辺（例えば半径５０ｃｍ）以内を検知エリアとする人感センサを用い、人感センサの検知結果により遊技機１の前方に遊技者が着席しているか否かを判定しても良い。
【００５３】
本実施形態では、貸出装置２の一部の機能（操作手段）を遊技機１が備える構成を例示したが、貸出装置２の全ての機能を遊技機１が備える構成としても良い。
本実施形態では、複数の特徴部位として目、鼻、口の３ケ所を例示したが、特徴部位を変更する又は加えることで、複数の特徴部位の種類や個数をどのように選択しても良く、例えば耳、眉毛、ほお骨、あご、輪郭、皮膚、皺等を採用しても良い。更に、遊技者の識別を遊技者の顔の撮像結果から行う必要はなく、遊技者の胴体や服装から行うようにしても良い。この場合、複数の特徴部位の個数が増えることで、同一人物であるか否かを判定する精度を高めることができ、顔画像ＩＤに対応付けて遊技情報や売上情報を精度良く管理することができる。
【００５４】
又、複数の特徴部位の全てを撮像している場合に遊技者個人を識別可能と判定する必要はなく、例えば複数の特徴部位のうち一部を撮像していれば、その情報に基づいて遊技者個人を識別可能と判定しても良い。又、遊技者個人を識別するための部位と遊技者の着席を判定するための部位とが共通している必要はなく、例えば遊技者の顔の部位の撮像結果を用いて遊技者個人を識別可能であるか否かを判定し、遊技者の胴体や首の撮像結果を用いて遊技者が着席しているか否かを判定する構成としても良い。
【００５５】
又、同じ部位のみを用いて遊技者個人を識別可能であるか否かを判定すると共に遊技者が着席しているか否かを判定する構成としても良い。例えば遊技者の目を撮像している場合に、目の特徴を抽出できる程度に鮮明に撮像していれば、遊技者個人を識別可能であり且つ遊技者が着席していると判定し、目を撮像しているが目の特徴を抽出できなければ、遊技者個人を識別不能であるが遊技者が着席していると判定する構成としても良い。つまり、同じ部位を撮像した撮像結果の鮮明度の差異も着席識別範囲と遊技者識別範囲との差異に相当する。例えば目の特徴を抽出できる程度の鮮明度が遊技者識別範囲に相当し、目を撮像しているが目の特徴を抽出できない程度の鮮明度が着席識別範囲に相当する。
【００５６】
又、本実施形態では、遊技者識別範囲以上に亘って遊技者を撮像できている場合に遊技者を特定できると判定したが、遊技者識別範囲よりも広範囲に亘って遊技者を撮像できていることを条件に遊技者を特定できると判定しても良い。又、着席識別範囲以上に亘って遊技者を撮像できている場合に遊技者が着席していると判定したが、着席識別範囲よりも広範囲に亘って遊技者を撮像できていることを条件に遊技者が着席していると判定しても良い。これらの場合も各識別範囲を適宜設定すれば良い。
【００５７】
本実施形態では、遊技者が着席していないと判定した場合にＩＣカード１１の発行を禁止する構成としたが、遊技者が着席していると判定した場合に比べてＩＣカード１１の発行を抑制していれば（発行に困難さがあれば）良く、遊技者が着席していないと判定した場合の発行釦２１を押下してから発行動作を開始するまでの時間（遅延時間）を、遊技者が着席していると判定した場合よりも長くするようにしても良い。発行釦２１を押下してから発行動作を開始するまでの時間が長くなれば、発行釦２１を押下しても即座にＩＣカード１１を獲得する（盗む）ことが困難となり、素早く現場から離れることが困難となるので、ＩＣカード１１の発行を禁止する場合と同様にしてＩＣカード１１の盗難を抑制することができる。
【００５８】
遊技場の従業員による操作（例えば操作リモコン３３の操作）が行われたことのみを条件として、発行禁止状態を解除する構成としても良い。即ち、発行禁止状態を設定している状態で遊技者が着席したと判定した場合に発行禁止状態を解除してしまうと、ＩＣカード１１を盗もうと考える人物（盗難行為者）が、着席していないことが原因でＩＣカード１１が発行されないことに気付いて着席すると、ＩＣカード１１が発行されて盗難されてしまうことなるが、遊技場の従業員による操作が行われたことのみを条件とすることで、そのような事態を抑制することができる。
【００５９】
発行釦２１が押下された時点から所定期間遡った期間で対応する遊技機１が稼動していたことを条件に加え、発行許可状態を設定する構成としても良い。即ち、ＩＣカード１１を盗もうと考える人物（盗難行為者）が、対応する遊技機１で遊技していた可能性は極めて少ないので、発行釦２１が押下された時点から所定期間遡った期間で対応する遊技機１が稼動していたことを条件に加えることで、ＩＣカード１１の盗難をより確実に抑制することができる。
【００６０】
ＩＣカード１１が挿入されている状態（ＩＣカード１１を発行可能な状態）での稼動の有無を判定し、稼動が一定時間ないと判定した場合に、ＩＣカード１１の発行忘れが発生したと検知してＩＣカード１１の発行を禁止する構成を追加しても良い。即ち、顔認証によるＩＣカード１１の発行禁止と稼動有無の判定によるＩＣカード１１の発行禁止とを併用しても良い。稼動有無の判定によるＩＣカード１１の発行禁止では、玉の発射が行われる等の予め定められた稼動が発生した場合や、従業員によるリモコン操作等の解除操作が行われた場合に、ＩＣカード１１の発行禁止が解除される。
【００６１】
例示した遊技機１以外の遊技機を対象としても良く、例えばスロットマシンを対象としても良い。又、玉が封入されており、遊技者が玉に触れることができず、クレジットや得点を消費して玉を発射する封入式のパチンコ遊技機やクレジットや得点を消費してリールが回転する等のゲームが進行する完全クレジット式のスロットマシンを対象としても良い。
【００６２】
管理装置６が行う処理の少なくとも一部を貸出装置２や情報表示装置３等の他の装置にて行うようにしても良いし、貸出装置２が行う処理の少なくとも一部を管理装置６や情報表示装置３等の他の装置にて行うようにしても良い。例えばカメラ２９が撮像した画像を貸出装置２が画像処理しても良い。この場合、遊技者が着席しているか否かを貸出装置２の制御部２ａが撮像結果から判定し、ＩＣカード１１の発行を許可するか否かを判定することも可能である。
【符号の説明】
【００６３】
図面中、１は遊技機、２ａは制御部（受付手段、発行手段）、６ａは遊技者識別判定部（遊技者識別判定手段）、６ｂは遊技者管理部（遊技者管理手段）、６ｃは着席判定部（着席判定手段）、６ｄは発行設定部（発行設定手段）、１１はＩＣカード（記録媒体）、２１は発行釦（操作手段）、２９はカメラ（撮像手段）である。
【図１】
2016013350.tif 000003
【図２】
2016013350.tif 000004
【図３】
2016013350.tif 000005
【図４】
2016013350.tif 000006
【図５】
2016013350.tif 000007